(57)【要約】【課題】、無駄な消費電力の抑制を図るようにした可搬型の表示装置を提供する。【解決手段】操作パネルが取り外されていて、しかも操作中であって操作パネルが机やテーブルの上面などの伏臥面に伏臥されていれば（ステップＳ１０１のＹＥＳ、ステップＳ１０２のＮＯ、ステップＳ１０３のＹＥＳ）、その伏臥状態が予め定められたＴ１時間（例えば５秒）継続していると、操作パネルの内蔵バッテリ（駆動電源）がスリープ状態に制御され（ステップＳ１０５，Ｓ１０６）、さらにこのスリープ状態が予め定められたＴ２時間（例えば５分）継続すれば（ステップＳ１０７のＹＥＳ）、操作パネルの内蔵バッテリ（駆動電源）が電源オフ状態に制御される（ステップＳ１０８）。【選択図】図６
2009139772.tif 000002
【特許請求の範囲】
【請求項１】
装置本体の前面側に画像を表示する表示部を備えた可搬型でパネル状の表示装置において、
前記装置本体の前面側で前記表示部の周辺に配設されて前記装置本体の伏臥面への伏臥状態を検知する検知部と、
前記検知部による前記装置本体の伏臥状態の検知が予め設定された設定時間以上継続するときに、駆動電源による少なくとも前記表示部への電源供給をスリープ状態に制御する電源制御部と
を備えたことを特徴とする表示装置。
【請求項２】
前記電源制御部は、前記スリープ状態が予め設定された所定時間以上継続するときに前記表示部を含む各部への電源供給を停止する請求項１に記載の表示装置。
【請求項３】
前記検知部は、
前記伏臥面に向けて投光する発光素子と、外光並びに前記装置本体の伏臥状態には前記伏臥面による前記発光素子からの光の反射光を受光可能に配設された受光素子とを有する照度センサを備え、
前記電源制御部は、
前記照度センサの前記受光素子の出力値に基づき、前記装置本体が伏臥されていない通常の使用状態にあるのか、前記装置本体が伏臥状態にあるのか判定する判定部を備える請求項１または２に記載の表示装置。
【請求項４】
前記表示部の表示に関与する光が、前記装置本体の伏臥状態、通常使用状態に関係なく前記受光素子によって受光されないように前記検知部の前記受光素子が配置されている請求項３に記載の表示装置。
【請求項５】
請求項１ないし４のいずれかに記載の表示装置を備えた印刷機器において、
前記表示装置が機器本体の所定部位に着脱自在に装着される構成を有し、
前記表示装置の前記表示部にはタッチパネルが組み込まれ、機器操作用の操作ボタン画像が接触操作可能に前記表示部に表示されることを特徴とする印刷機器。
【発明の詳細な説明】
【技術分野】
【０００１】
この発明は、パネル状の装置本体の前面側に画像を表示する表示部を備えた可搬型の表示装置およびこれを備えた印刷機器に関するものである。
【背景技術】
【０００２】
画像を表示する表示装置である液晶表示装置において、光センサーを取り付けて外光照度データを取り込み、人や物の往来による液晶表示装置周辺の照度が部分的に変化しても液晶表示装置のバックライトの輝度は変化させず、液晶表示装置周辺の環境が一様に変化したときにバックライトを周囲照度に応じて自動調光することが行われている（例えば、特許文献１参照）。
【０００３】
【特許文献１】特開２００５−１２１９９７号公報（段落００１０，００１１ほか）
【発明の開示】
【発明が解決しようとする課題】
【０００４】
ところで、特許文献１に記載の液晶表示装置の場合、液晶表示装置周辺の環境、特に照度を検出し、液晶表示装置周辺の環境が一様に変化したときにバックライトを自動調光するものの、例えば長時間にわたって液晶表示装置を使用しないときであっても電源はオン状態のまま保持され、電力が無駄に消費されるという問題点がある。
【０００５】
例えば、特許文献１のような液晶表示装置に限らず、可搬型の表示装置の場合、使用状態と不使用状態では表示面が受ける外光照度に差が生じる。特に、可搬型でパネル状の表示装置の場合これを使用しない状態では、机やテーブルなどの上面（伏臥面）に表示装置の表示面を下にして表示装置が伏臥されることが多く、このように伏臥されると表示装置の表示面が受ける外光照度は、伏臥されない通常の使用状態に比べて低くなる。そのため、表示装置の表示面に照度センサを設けて表示面が受ける外光照度を検出できれば、表示装置が伏臥された状態か伏臥されていない状態かを判別でき、伏臥状態には表示装置の電源をオフするなどして無駄な消費電力を抑制することも可能になるが、上記した特許文献１も含めて従来の可搬型でパネル状の表示装置ではこのような装置の状態を判別して節電する機能を備えたものはない。
【０００６】
この発明は、上記課題に鑑みなされたものであり、無駄な消費電力の抑制を図るようにした可搬型の表示装置及びこれを備えた印刷装置を提供することを目的とする。
【課題を解決するための手段】
【０００７】
この発明にかかる表示装置は、上記目的を達成するため、装置本体の前面側に画像を表示する表示部を備えた可搬型でパネル状の表示装置において、前記装置本体の前面側で前記表示部の周辺に配設されて前記装置本体の伏臥面への伏臥状態を検知する検知部と、前記検知部による前記装置本体の伏臥状態の検知が予め設定された設定時間以上継続するときに、駆動電源による少なくとも前記表示部への電源供給をスリープ状態に制御する電源制御部とを備えたことを特徴としている。
【０００８】
上記したように構成された発明では、検知部により装置本体の伏臥面への伏臥状態が検知される状況とは、表示装置が表示部の表示を見ることのない不使用の状態にあると判断することができる。そのため、検知部による装置本体の伏臥面への伏臥状態の検知が予め設定された設定時間以上継続すれば、電源制御部により、駆動電源による少なくとも表示部への電源供給をスリープ状態に制御するので、無駄な電力消費の抑制を図ることができる。
【０００９】
また、前記電源制御部は、前記スリープ状態が予め設定された所定時間以上継続するときに前記表示部を含む各部への電源供給を停止するように構成するのが望ましい。このように、スリープ状態が予め設定された所定時間以上継続すれば、表示部を含む各部への電源供給を停止することにより、無駄な電力消費をよりいっそう抑制することができる。
【００１０】
また、前記検知部は、前記伏臥面に向けて投光する発光素子と、外光並びに前記装置本体の伏臥状態には前記伏臥面による前記発光素子からの光の反射光を受光可能に配設された受光素子とを有する照度センサを備え、前記電源制御部は、前記照度センサの前記受光素子の出力値に基づき、前記装置本体が伏臥されていない通常の使用状態にあるのか、前記装置本体が伏臥状態にあるのか判定する判定部を備えるように構成するのが好ましい。
【００１１】
このように構成すると、装置本体が伏臥されていない状態では、照度センサ周囲の環境は外光による照度が非常に高く、照度センサの受光素子の受光出力レベルは高い状況にある一方、装置本体の伏臥状態には伏臥面による発光素子からの光の反射光を受光するだけで、照度センサの受光素子の受光出力レベルは低い状況にあるため、照度センサの出力レベルの違いから、判定部により、装置本体が伏臥されていない通常の使用状態にあるのか、装置本体が伏臥状態にあるのかを容易に判定できることとなる。その結果、表示部をスリープ状態にし、或いは、このスリープ状態が予め設定された所定時間以上継続すれば、表示部を含む各部への電源供給を停止することで、無駄な電力消費の抑制に確実に寄与することができる。
【００１２】
また、前記表示部の表示に関与する光が、前記装置本体の伏臥状態、通常使用状態に関係なく前記受光素子によって受光されないように前記検知部の前記受光素子が配置されているとよい。このように、受光素子により、装置本体の伏臥状態、通常使用状態に関係なく表示部の表示に関与する光が受光されないようにすれば、表示部の表示に関与する光の影響を受けることなく、装置本体が伏臥されていない通常の使用状態にあるのか、装置本体が伏臥状態にあるのかをより確実に判定することができる。
【００１３】
また、請求項１ないし４のいずれかに記載の表示装置を備えた印刷機器は、前記表示装置が機器本体の所定部位に着脱自在に装着される構成を有し、前記表示装置の前記表示部にはタッチパネルが組み込まれ、機器操作用の操作ボタン画像が接触操作可能に前記表示部に表示されることを特徴としている。このように構成すれば、印刷機器の表示装置を機器本体から取り外して使用するときに、表示装置を使用しない状態では表示装置での無駄な電力消費を抑制することができる印刷機器の提供が可能になる。
【発明を実施するための最良の形態】
【００１４】
図１は本発明の可搬型でパネル状の表示装置を備えた印刷機器の一実施形態であるフォトプリンタを示す斜視図である。また、図２はフォトプリンタの内部構成の概略を示す図である。このフォトプリンタ１０では、プリンタ本体１２の内部にはプリント機構５０（図２参照）が内蔵されており、フォトプリンタ１０の全体の制御を司るコントローラ７０（図２参照）からの動作指令に応じて用紙Ｐへの印刷を実行する。そして、こうして印刷された用紙がプリンタ本体１２の前面に排紙される。
【００１５】
このプリンタ本体１２の前面には、図１に示すように、前面扉１４が開閉自在に取り付けられている。この前面扉１４はプリンタ本体１２の前面を開閉するための蓋である。そして、開状態のときには、プリント機構５０から排紙される用紙Ｐを受けるための排紙トレイとして機能する。また、プリンタ本体１２の前面に設けられた各種のメモリカードスロット１６をユーザが利用可能な状態となる。つまり、この状態でユーザは印刷対象となる画像ファイルを記憶したメモリカードＭをメモリカードスロット１６に差し込むことができる。
【００１６】
また、プリンタ本体１２の上面には、プリンタ本体１２に着脱可能な操作パネル２０が設けられる一方、プリンタ本体１２の上面を覆うことのできる大きさに成型された樹脂カバー（図示せず）が開閉自在に取り付けられている。この操作パネル２０が本発明における「表示装置」に相当し、図２に示すように、パネル枠２１（本発明における「装置本体」に相当）と、このパネル枠２１に組み込まれた液晶ディスプレイからなる表示部２２と、表示部２２に重畳されたタッチパネル２３と、操作パネル２０に内蔵された駆動電源としてのバッテリ（図示せず）とを備えている。
【００１７】
この操作パネル２０は、例えば扉の開閉などに使用される周知のばねとマグネットとの組合せであるプッシュマグネットキャッチと同様の係止機構によってプリンタ本体１２の上面に着脱可能に配設されており、例えば装着状態から例えば操作パネル２０の端部を押圧すると、係止機構の係止状態が解除されてばねの付勢力により押圧した端部（この場合、操作パネル２０の後端部）が浮き上がり、プリンタ本体１２の上面から操作パネル２０を取り外して操作パネル２０を単独で持ち運びできる状態になる一方、プリンタ本体１２の上面に収納（装着）する場合にはこれとは逆に、ばねの付勢力により浮き上がった状態でプリンタ本体１２の上面に設置された操作パネル２０の後端部をばねに抗して押し込めば、係止機構が係止状態となって操作パネル２０がプリンタ本体１２の上面に収納（装着）されるようになっている。なお、操作パネル２０には取り外し状態を検出する脱着センサを設けておくのが望ましく、こうすると操作パネル２０がプリンタ本体１２から取り外されていることを認識できて、後に詳述するような電源制御などが可能になる。
【００１８】
そして、操作パネル２０の表示部２２には、文字をはじめ図形、記号、写真などの画像を表示する画像表示領域２４ａと、この画像表示領域２４ａの周囲には各種操作用の複数の操作ボタン画像が表示されるボタン表示領域２４ｂとが設けられている。また、操作パネル２０のパネル枠２１の表面右下隅には、操作パネル２０及びプリンタ本体１２の電源をオン、オフするための電源ボタン２５ａが設けられ、電源ボタン２５ａのオン時には電源ボタン２５ａの近傍に設けられたＬＥＤ２５ｂが点灯してオン状態を表示する。
【００１９】
ボタン表示領域２４ｂに表示される操作ボタン画像として、図２には図示されていないが、メインメニュー画面を呼び出すためのメニューボタン、操作を途中でキャンセルしたり用紙Ｐへの印刷を途中で中断したりするためのキャンセルボタン、用紙Ｐへの印刷実行を指示するための印刷ボタン、メモリカードスロット１６に挿入されたメモリカードＭに編集画像等を保存するための保存ボタン、例えば画像表示領域２４ａに表示された複数の選択肢の中から所望の選択肢を選択したりカーソルを移動したりするときに操作される上下左右の各矢印ボタン、この上下左右の各矢印ボタンの中央に配置され各矢印ボタンによって選択されている選択肢に決定したことを指示するためのＯＫボタン、画像表示領域２４ａでの画面表示を切り替えるための表示切替ボタン、排紙トレイとしての機能を備えた前面扉１４を開く排紙トレイオープンボタンなどが表示されている。
【００２０】
そして、ユーザがタッチパネル２３を通して所望のボタン画像に接触すると、例えばその接触位置の座標を表わす無線操作信号がプリンタ本体１２に送信され、後述するコントローラ７０に内蔵の受信回路によりこれを受信することで、その接触位置がコントローラ７０により検出され、コントローラ７０により接触位置に該当するボタン画像に割り付けられた操作内容に応じた制御処理が実行される。
【００２１】
したがって、ユーザは、操作パネル２０をプリンタ本体１２の上面から取り外して単独で持ち運び、好きな場所で上記したボタン画像のタッチ操作を行うことにより、プリンタ１０を遠隔操作することもでき、デジタルカメラなどで撮影した写真を順次表示部２２の画像表示領域２４ａに切換表示させながら、印刷すべき写真の選択などを行うことができる。また、操作パネル２０を単独で持ち運び、表示部２２の画像表示領域２４ａに好きな写真画像を常時表示させておけば、操作パネル２０を電子式の「写真たて」として使用することもできる。この場合には、図３に示すように、操作パネル２０のパネル枠２１の背面に可傾式（図３中の矢印方向）の支持体２８を設けておくのが望ましい。
【００２２】
ところで、操作パネル２０のパネル枠２１の表面右上隅には、机やテーブルなどの上面である伏臥面への操作パネル２０の伏臥状態を検知する検知部としての照度センサ２６が配設されている。この照度センサ２６は、伏臥面に向けて投光する発光素子であるＬＥＤ２６ａと、照明光を含む外光並びに操作パネル２０の伏臥状態における伏臥面によるＬＥＤ２６ａからの光の反射光を受光可能に配設された受光素子であるフォトダイオード２６ｂとを有する。
【００２３】
照度センサ２６は、特に図４に示すように、パネル枠２１内に収容され液晶ディスプレイからなる表示部２２の背面に位置するプリント基板ＰＢの隅部に、発光ダイオード（ＬＥＤ）２６ａ及びフォトダイオード２６ｂが実装配線され、これらＬＥＤ２６ａ及びフォトダイオード２６ｂは、パネル枠２１の表面右上隅の凹部に配設されて机やテーブルなどの上面である伏臥面ＴによるＬＥＤ２６ａからの光の反射光がフォトダイオード２６ｂにより受光されるような位置関係に設定配置されている。このとき、表示部２２である液晶ディスプレイからの漏れ光やＬＥＤ２６ａの直接光がフォトダイオード２６ｂにより受光されることのないように、ＬＥＤ２６ａ及びフォトダイオード２６ｂの各々の周囲は包囲部材Ｃにより包囲されている。そのため、伏臥面ＴによるＬＥＤ２６ａからの光の反射光、及び、操作パネル２０周囲の外光（太陽光、照明光など）のみがフォトダイオード２６ｂにより受光されるようになっている。
【００２４】
この照度センサ２６により、操作パネル２０が伏臥面Ｔに伏臥されていない状態つまり通常の使用状態では、照度センサ２６周囲の環境は外光（或いは照明光）による照度が非常に高く、照度センサ２６のフォトダイオード２６ｂの受光出力レベルは高い状況にある一方、操作パネル２０が伏臥面Ｔに伏臥された状態では、フォトダイオード２６ｂは伏臥面ＴによるＬＥＤ２６ａからの光の反射光を受光するだけであることから、照度センサ２６のフォトダイオード２６ｂの受光出力レベルは低い状況にある。そのため、照度センサ２６の出力レベルの違いから、操作パネル２０が伏臥されていない通常の使用状態にあるのか、不使用の伏臥状態にあるのかを容易に判定できることとなる。
【００２５】
そして、図４に示すプリント基板ＰＢには、図５に示すように、フォトダイオード２６ｂの発光出力信号を増幅するアンプ３０ａと、アンプ３０ａにより増幅された発光出力信号の電圧レベルと基準電圧レベルとを比較するコンパレータ３０ｂと、コンパレータ３０ｂの出力信号に基づき、内蔵バッテリをスリープ状態やオフ状態に制御する制御回路３０ｃとが設けられている。
【００２６】
ここで、基準電圧レベルとして、操作パネル２０が伏臥面Ｔに伏臥されていない通常の使用状態において、照度センサ２６が外光（或いは照明光）を受光したときのアンプ３０ａの出力電圧レベルに設定しておけば、操作パネル２０が机などの伏臥面Ｔに伏臥された不使用の状態におけるアンプ３０ａ出力電圧レベルは基準電圧レベルを下回るため、コンパレータ３０ｂから操作パネル２０の伏臥検知信号が出力される。よって、アンプ３０ａ、コンパレータ３０ｂは本発明における「判定部」として機能する。そして、この伏臥検知信号が予め定められた所定のＴ１時間（例えば５秒）継続すれば、制御回路３０ｃにより操作パネル２０の内蔵バッテリがスリープ状態に制御されて、操作パネル２０の消費電力が必要最小限に制御される。これらアンプ３０ａ、コンパレータ３０ｂ及び制御回路３０ｃが本発明における「電源制御部」として機能する。
【００２７】
さらに、このスリープ状態が予め定められた所定のＴ２時間（例えば５分）継続すると、制御回路３０ｃにより操作パネル２０の内蔵バッテリがオフ状態（電源供給の停止状態）に制御される。なお、Ｔ１，Ｔ２時間は、ユーザが操作ボタン画像の操作により好みに応じて適宜可変設定できるようにしてもよい。
【００２８】
このとき、プリント基板ＰＢに送信回路（図示せず）も搭載しておき、制御回路３０ｃは、操作パネル２０のスリープ状態やオフ状態を報知する無線報知信号をコントローラに送信すべくこの送信回路を制御し、コントローラ７０の受信回路がこの無線報知信号を受信すれば、コントローラ７０により、プリンタ本体１２側の電源も同様にスリープ状態或いはオフ状態に制御するように構成してもよい。こうすれば、操作パネル２０のみならず、プリンタ本体１２側の電源も同様にスリープ状態或いはオフ状態に制御することも可能になり、プリンタ１０全体の消費電力の抑制が可能となる。
【００２９】
ところで、操作パネル２０を取り外した状態（或いは操作パネル２０の後端部を持ち上げた状態）におけるその奥には、図２に示すように、プリント機構５０の給紙口５８が設けられるとともに、ガイド幅が用紙の幅に合うように左右方向にスライド操作される一対の用紙ガイド５９，５９が設けられている。
【００３０】
そして、給紙口５８を介して用紙Ｐがプリント機構５０に送り込まれて印刷が実行される。このプリント機構５０には、図２に示すように、キャリッジ５３が左右方向にループ状に架け渡されたタイミングベルト５１により駆動されガイド５２に沿って左右に往復動する。このキャリッジ５３には、紙端検出センサ５７が設けられ、用紙Ｐの左右端や上下端を検出する。つまり、紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００３１】
また、このキャリッジ５３には、シアン・マゼンタ・イエロー・ブラック等の各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒータなど）に電圧をかけインクを加熱して発生した気泡によりインクを加圧する方式を採用してもよい。こうして印刷された用紙Ｐは搬送ローラ５６によって開状態の前面扉（排紙トレイ）１４へ送り出される。
【００３２】
また、図示を省略しているものの、プリンタ本体１２の背面にはバッテリパックを装着可能となっており、商用電源に接続しなくとも本プリンタ１０をバッテリにより動作させることが可能となっている。この点および本プリンタ１０がホストコンピュータに接続しなくても使用することができるスタンドアロンプリンタとなっている点により、本プリンタ１０は持ち運び容易でどこでも使用できるようになっている。
【００３３】
また、コントローラ７０は、図２に示すように、ＣＰＵを中心とするマイクロプロセッサとして構成されており、各種処理プログラムや各種データ、各種プログラムや各種テーブルなどを記憶したＲＯＭ７２と、一時的にデータを記憶するＲＡＭ７３と、電気的に書き換え可能で電源を切ってもデータは保持されるフラッシュメモリ７４と、メモリカード、ディスクドライブ１３やプリント機構５０やメモリカードスロット１６などとの通信を可能とするインタフェース（Ｉ／Ｆ）７５と、表示部２２に描画すべき画像のデータを格納するグラフィックメモリ７６とを備え、これらはバス７７を介して互いに信号のやり取りが可能なように接続されている。このコントローラ７０に対して、メモリカードやディスクの画像ファイルなどが入力されるほか、プリント機構５０のセンサ５７からの検出信号や操作パネル２０のボタン画像２４の接触操作に応じた無線操作信号が入力される。また、コントローラ７０は、メモリカードに編集画像などを保存するほか、プリント機構５０の印刷ヘッド５５への制御信号や操作パネル２０への無線制御信号を出力する。
【００３４】
図６は操作パネル２０が伏臥状態となったときに、操作パネル２０を電源スリープ状態、電源オフ状態に制御する電源制御処理の手順を示すフローチャートである。図６に示すように、操作パネル２０に設けられ操作パネル２０のプリンタ本体１２からの取り外しを検出する脱着センサの出力信号に基づき、操作パネル２０が取り外されているか否か判定され（ステップＳ１０１）、取り外されている場合には（ステップＳ１０１のＹＥＳ）、タッチパネル２３の信号などに基づき、操作パネル２０が操作中か否かの判定がなされる（ステップＳ１０２）。
【００３５】
そして、操作パネル２０が操作中でない場合には（ステップＳ１０２のＮＯ）、照度センサ２６の信号に基づき、操作パネル２０が机やテーブルの上面などの伏臥面Ｔに伏臥されている状態か否かの判定がなされ（ステップＳ１０３）、伏臥されていないとの判定結果の場合には（ステップＳ１０３のＮＯ）、ステップＳ１０１の判定がＮＯで操作パネル２０が取り外されていない場合、及び、ステップＳ１０２の判定がＹＥＳで操作パネル２０が操作中の場合と同様、ステップＳ１０４に移行し、現在の状態が維持されてそのまま処理は終了する。
【００３６】
一方、操作パネル２０が机やテーブルの上面などの伏臥面Ｔに伏臥されているとの判定結果の場合には（ステップＳ１０３のＹＥＳ）、この伏臥状態が予め定められたＴ１時間（例えば５秒）継続すれば（ステップＳ１０５）、操作パネル２０の内蔵バッテリ（駆動電源）がスリープ状態に制御され（ステップＳ１０６）、さらにこのスリープ状態が予め定められたＴ２時間（例えば５分）継続しているか否かが判定され（ステップＳ１０７）、
継続している場合には（ステップＳ１０７のＹＥＳ）、操作パネル２０が使用されていない状態にあると判断できるため、操作パネル２０の内蔵バッテリ（駆動電源）が電源オフ状態に制御され（ステップＳ１０８）、その後処理は終了する。
【００３７】
また、ステップＳ１０７の判定の結果、スリープ状態が予め定められたＴ２時間継続していない場合には（ステップＳ１０７のＮＯ）、照度センサ２６の信号に基づき、操作パネル２０が伏臥状態のままか否かの判定がなされ（ステップＳ１０９）、伏臥状態のままであるとの判定結果であれば（ステップＳ１０９のＹＥＳ）、操作パネル２０の内蔵バッテリはスリープ状態のまま保持され（ステップＳ１１０）、上記したステップＳ１０７の判定に戻ってこの判定が繰り返される。
【００３８】
これに対し、ステップＳ１０９の判定において、操作パネル２０が伏臥状態にはないとの判定結果であれば（ステップＳ１０９のＮＯ）、操作パネル２０の伏臥状態は解除され（ステップＳ１１１）、操作パネル２０の内蔵バッテリはスリープ状態から電源供給状態に復帰され（ステップＳ１１２）、その後処理は終了する。
【００３９】
このように、上記した実施形態によれば、操作パネル２０が伏臥されていない状態では、照度センサ２６周囲の環境は外光（或いは照明光）による照度が非常に高く、照度センサ２６のフォトダイオード２６ｂの受光出力レベルは高い状況にある一方、操作パネル２０の伏臥状態には、机の上面などの伏臥面ＴによるＬＥＤ２６ａからの光の反射光を受光するだけで、照度センサ２６のフォトダイオード２６ｂの受光出力レベルは低い状況にあるため、照度センサ２６の出力レベルの違いから、操作パネル２０が、伏臥されていない通常の使用状態にあるのか、伏臥状態にあって表示部２２の表示を見ることのない不使用の状態にあるのかを容易に判定することができる。
【００４０】
そして、操作パネル２０の伏臥面Ｔへの伏臥状態の検知が予め設定されたＴ１時間以上継続すれば、操作パネル２０の内蔵バッテリ（駆動電源）がスリープ状態に制御されるため、無駄な電力消費の抑制を図ることができる。さらに、このスリープ状態が予め設定されたＴ２時間以上継続すれば、操作パネル２０の内蔵バッテリが電源オフ状態に制御されるため、無駄な電力消費をよりいっそう抑制することができる。
【００４１】
また、上記した実施形態では、操作パネル２０の内蔵バッテリがスリープ状態に制御中に、操作パネル２０の伏臥状態が解除されて使用状態に戻れば、内蔵バッテリも直ぐに元の電源供給状態に復帰されるため、操作パネル２０は何ら支障なく使用開始できる状態となる。
【００４２】
なお、本発明は上記した実施形態に限定されるものではなく、その趣旨を逸脱しない限りにおいて上述したもの以外に種々の変更を行うことが可能である。例えば、照度センサ２６が発光素子であるＬＥＤ（発行ダイオード）２６ａ及び受光素子であるフォトダイオード２６ｂを有するとしたが、発光素子には上記したＬＥＤに限らずその他の発光素子を用いてもよく、受光素子にはフォトトランジスタを用いてもよい。
【００４３】
また、上記実施形態では、表示装置をフォトプリンタ１０の着脱自在な操作パネル２０として説明したが、画像を表示できる可搬型でパネル状の電子掲示板や電子式写真立てなどの表示装置にも本発明を適用することができ、上記した実施形態と同等の効果を得ることができる。
【００４４】
また、上記実施形態では、インクジェット方式のフォトプリンタ１０を印刷機器とし、これに表示装置として着脱自在の操作パネル２０を備えた場合を例として説明したが、印刷機器はフォトプリンタ１０に限らず、その他のインクカートリッジ式プリンタ等にも本発明の表示装置を搭載することができる。
【００４５】
また、本発明の表示装置を適用できる対象はこのような印刷機器に限られるものではなく、可搬型の表示装置を搭載可能な各種の電子機器にも適用できるのはいうまでもない。
【図面の簡単な説明】
【００４６】
【図１】本発明の印刷装置の一実施形態であるフォトプリンタを示す斜視図。
【図２】フォトプリンタの内部構成の概略を示す図。
【図３】操作パネルを伏臥した状態の斜視図。
【図４】伏臥状態における操作パネルの断面を示す図。
【図５】操作パネルの電源制御部の回路図。
【図６】操作パネルの電源制御処理のフローチャート。
【符号の説明】
【００４７】
２０…操作パネル（表示装置）、  ２１…パネル枠（装置本体）、  ２２…表示部、  ２３…タッチパネル、  ２６…照度センサ（検知部）、  ２６ａ…ＬＥＤ（発光素子）、  ２６ｂ…フォトダイオード（受光素子）、  ３０ａ…アンプ（判定部、電源制御部）、  ３０ｂ…コンパレータ（判定部、電源制御部）、  ３０ｃ…制御回路（電源制御部）
【図１】
2009139772.tif 000003
【図２】
2009139772.tif 000004
【図３】
2009139772.tif 000005
【図４】
2009139772.tif 000006
【図５】
2009139772.tif 000007
【図６】
2009139772.tif 000008